(57)【要約】  機能イメージングの線量較正のために、同じ長寿命同位元素の異なる精密放射源を較正に使用して、ある場所から別の場所へ１つの放射源を輸送しなければならないことを回避する。イメージングに用いられる同位元素を用いた放射源への長寿命同位元素の精密放射源に対する基準試験所でのガスイオンチャンバベース線量較正器（２０）の感度の比率を見出した。臨床現場において、長寿命同位元素を用いた遠隔ガスイオンチャンバベース線量較正器（２４）の他の放射源（２５）に対する遠隔ガスイオンチャンバベース線量較正器の感度の測定、及び遠隔ガスイオンチャンバベース線量較正器からの比率を用いて、放射性医薬品の同位元素に対する遠隔ガスイオンチャンバベース線量較正器の感度を決定した。患者の画像に使用される放射性医薬品のバイアス及び対応する線量は、較正された放射性医薬品の放射能に基づいている。
2021515222.tif 000002
【特許請求の範囲】
【請求項１】
機能イメージングシステムの線量較正方法であって、
第１の場所にある第１の線量較正器（２０）を用いて第１の同位元素の第１の放射源からの第１の放射能を測定するステップ（３０）と、
前記第１の放射能から第１のダイヤル設定を決定するステップ（３１）と、
第１の場所にある第１の線量較正器（２０）を用いて第１の同位元素よりも比較的短寿命である第２の同位元素の第２の放射源の第２の放射能を測定するステップ（３２）と、
前記第２の放射能から第２のダイヤル設定を決定するステップ（３３）と、
前記第１の場所と異なる臨床又は製薬現場である第２の場所で第２の線量較正器（２４）を用いて第１の同位元素の第３の放射源の放射能を測定するステップ（３４）と、
第３の放射能から第３のダイヤル設定を決定するステップ（３５）と、
第３のダイヤル設定から第２の同位元素の放射性医薬品（２６）に対する第４のダイヤル設定と、前記第２のダイヤル設定に対する前記第１のダイヤル設定の比率を決定するステップ（３７）と、
放射性医薬品の第４の放射能（２６）を測定するステップ（３６）と、
前記の放射能を前記ダイヤル設定で較正するステップ（３９）と、を含む、線量較正方法。
【請求項２】
前記第１及び第３の放射能を測定するステップ（３０、３４）が、高純度ゲルマニウム検出器から求めた放射能レベルを有する前記第１及び第３の放射源を用いて測定するステップ（３０、３４）を含む、請求項１に記載の線量較正方法。
【請求項３】
前記第１及び第３の放射能を測定する工程（３０、３４）が、前記同一の第１の同位元素の複数の試料を有する前記第１及び第３の放射源を用いて測定するステップ（３０、３４）を含む、請求項１に記載の線量較正方法。
【請求項４】
第１及び第３の放射能を測定するステップ（３０、３４）が、第１及び第２の線量較正器（２０、２４）内の同じ場所に設置された第１及び第３の放射源でそれぞれ測定するステップ（３０、３４）と、第２及び第４の放射能を測定するステップ（３２、３６）が、前記第１の線量較正器（２０）及び第３の線量較正器内の同じ場所に設置された前記第２の放射源及び放射性医薬品（２６）でそれぞれ測定するステップ（３２、３６）と、を含む、請求項１に記載の線量較正方法。
【請求項５】
前記第１の場所での前記第１及び第２の放射能を測定するステップ（３０、３２）が、基準試験所で測定するステップ（３０、３２）を含む、請求項１に記載の線量較正方法。
【請求項６】
前記第１、第２、及び第３のダイヤル設定を決定するステップ（３１、３３、３５）は、前記測定された第１、第２、及び第３の放射能及び前記第１、第２、及び第３の放射源の前記基準放射能にそれぞれ基づいて感度を決定するステップ（３１、３３、３５）を含む、請求項１に記載の線量較正方法。
【請求項７】
前記第４のダイヤル設定を決定するステップは、（３７）患者の単一光子放射断層撮影（ＳＰＥＣＴ）イメージングのために投与された放射性医薬品（２６）のための第４のダイヤル設定を決定するステップ（３７）を含む、請求項１に記載の線量較正方法。
【請求項８】
線量を較正するステップ（３９）は、前記放射性医薬品（２６）に対するバイアスを決定するステップ（３８）を含み、前記バイアスに基づく線量による患者のＳＰＥＣＴイメージングをさらに含む、請求項７に記載の線量較正方法。
【請求項９】
前記第４の放射能を測定するステップ（３６）は、前記第２の同位元素の試料を有する前記放射性医薬品（２６）を用いて前記第４の放射能を測定するステップ（３６）を含む、請求項１に記載の線量較正方法。
【請求項１０】
前記第２の放射能を測定するステップ（３２）は、前記第２の同位元素が１週間以下の半減期を有し、前記第１の同位元素が１年以上の半減期を有する測定ステップ（３２）を含む、請求項１に記載の線量較正方法。
【請求項１１】
前記第３及び第４のダイヤル設定を決定するステップ（３５、３７）は、前記臨床又は製薬現場で決定するステップを含む、請求項１に記載の線量較正方法。
【請求項１２】
医療機能イメージングシステムの線量較正方法であって、
臨床又は製薬現場において、前記第１の線量較正器（２４）を用いて第１の同位元素の第１の放射源の第１の放射能を測定するステップ（３４）と、
前記第１の感度及び前記第１の放射源の基準放射能から、前記第１の同位元素に対する第１の線量較正器（２４）の第１の感度を決定するステップ（３５）と、
前記第１の感度及び前記第１と第２の同位元素に対する第２の線量較正器（２０）の第３と第４の感度の比率から、第２の同位元素に対する前記第１の線量較正器（２４）の第２の感度を決定するステップ（３７）と、
前記第２の感度を用いて前記第２の同位元素の放射性医薬品（２６）の放射性医薬品の放射能を測定するステップ（３６）と、
を含む、線量較正方法。
【請求項１３】
前記第２の感度を決定するステップ（３７）は、同位元素ペアの表からの前記比率を用いて、前記第１及び第２の同位元素に対する前記同位元素ペアの１つに対する比率を決定するステップ（３７）を含む、請求項１２に記載の線量較正方法。
【請求項１４】
前記第１の同位元素が、少なくとも６か月の半減期を有し、前記第２の同位元素は、１か月未満の半減期を有し、前記第１の放射能を測定するステップ（３４）が、ゲルマニウム検出器からの前記第１の放射源の基準放射能を測定するステップ（３４）を含む、請求項１２に記載の線量較正方法。
【請求項１５】
前記第２感度を決定するステップ（３７）は、前記第１の線量較正器（２４）のダイヤル設定を決定するステップ（３７）を含む、請求項１２に記載の較正方法。
【請求項１６】
前記第２の感度を決定するステップ（３７）が、基準試験所からの前記比率を決定するステップ（３７）を含み、前記第１の放射能を測定するステップ（３４）が、前記放射性医薬品（２６）の患者への投与を行う調剤室を有する臨床又は製薬現場での測定ステップ（３４）を含む、請求項１２に記載の線量較正方法。
【請求項１７】
前記放射性医薬品の放射能を測定するステップ（３６）は、前記放射性医薬品（２６）の線量を測定するステップ（３６）と、線量により前記放射性医薬品（２６）にラベルを記載するステップを含む、請求項１２に記載の線量較正方法。
【請求項１８】
機能イメージングの線量較正システムであって、
基準放射能を有する放射性トレーサ源（２５）と、
前記放射性トレーサ源（２５）の放射能と放射性医薬品（２６）の放射能を測定する第１のガスイオンチャンバベース線量較正器（２４）と、
前記放射性トレーサ源（２５）の放射能と、前記放射性医薬品（２６）の同位元素に対する前記放射性トレーサ源（２５）の同位元素の第２及び第３のダイヤル設置値の比率（２）から決定された、前記第１のイオンチャンバベース線量較正器（２４）の第１のダイヤル設定（１）から前記第１のイオンチャンバベース線量較正器（２４）のにより前記放射性医薬品（２４）の放射能のバイアスを決定するように構成されたプロセッサ（１２）と、
を備えた、線量較正システム。
【請求項１９】
前記比率が、基準試験所における第２のガスイオンチャンバベース線量較正器（２０）からの測定に基づいており、前記基準放射能が、高純度ゲルマニウム検出器による測定に基づいている、請求項１８に記載の線量較正システム。
【請求項２０】
前記プロセッサ（１２）は、前記放射性医薬品（２６）の前記放射能のバイアスから前記放射性医薬品（２６）の線量を決定するように構成された、請求項１８に記載の線量較正システム。
【発明の詳細な説明】
【技術分野】
【０００１】
（関連出願）
本特許文書は、２０１８年３月７日に提出された米国仮特許出願第６２／６３９，６４９号の米国特許法第１１９条（ｅ）に基づく出願日の利益の享受を主張するものであり、その全体を参照として援用する。
【０００２】
本実施形態は、機能イメージングの線量較正に関する。線量較正は、定量的又は他の機能イメージングのために実施される。
【背景技術】
【０００３】
陽電子放射断層撮影（ＰＥＴ）と単一光子放射断層撮影（ＳＰＥＣＴ）は、機能又は核医学イメージングの２つの種類がある。機能イメージングは、患者内の代謝機能を決定するために放射性同位元素又は放射性トレーサを使用する。放射性トレーサからの放射が検出される。放射能濃度（すなわち、異なる場所からの放射性トレーサの濃度）は、検出された放射物から再構成される。定量的機能イメージングのためには、正確な放射能濃度と取込値の両方が望まれる。目標は、システム（検出器及び線量較正器）のばらつきがなく、どちらの量においても患者の経時的な測定変化が代謝上の理由によるものとなるように、全体的なベースラインを提供することである。注入された放射能は、規定された線量に付着するためだけでなく、定量的機能イメージングにおける取込値の計算にも使用するための重要な量である。
【０００４】
ガスイオンチャンバベース線量較正器は、線量の測定を行う。患者に投与される液体同位元素（放射性トレーサ又は放射性医薬品）の線量値が不正確である可能性がある。不正確さの１つの原因は、特性Ｘ線からの寄与である。図１にインジウム（Ｉｎ）１１１の発光スペクトルの表を示す。表には、エネルギー、強度（崩壊の所与の事例で起こる確率と不確実性の可能性を％とする）、ガンマ線及びＸ線放射の線量が含まれる。ガスイオンチャンバベース線量較正器の感度は、入射光子又はガンマ線エネルギーの高次非線形関数である。多くのＳＰＥＣＴ放射性トレーサからの一次ガンマ線放出はガスイオンチャンバ感度が最小となるが、ＳＰＥＣＴ放射性トレーサの特性Ｘ線エネルギーに対するガスイオンチャンバ感度は高い。その結果、ガスイオンチャンバベース線量較正器による放射能の測定は、Ｘ線からのより大きい又は同等の量のエネルギーを含む。分析したときの注入放射能は、光子イメージングに加えてＸ線を放射する同位元素に対して大きなバイアスを持つ。一次放出に加えて高エネルギーガンマ線放射のＳＰＥＣＴ放射性トレーサでは、高エネルギーガンマ線の複数のコンプトン散乱も線量が不確実になる。
【０００５】
線量較正における特性Ｘ線からのエネルギー寄与を制限するために、受動シールド（例えば、銅ジャケット）を施して、一次放出に対してＸ線を差動減衰させる。ジャケットはＸ線を減少させるが、除去せず、一次放出を減衰させ、未知の製造ばらつきを有する。その結果、大きさが変動し不確実になる。Ｘ線の放射が著しい同位元素では、トレーサ容器内のＸ線とガンマ線の差動減衰によっても不確定になる。一次放出に加えて高エネルギーガンマ線放射をする同位元素では、複数のコンプトン散乱による高エネルギーガンマ線放射に対するより高い効率は、線量が不確実になる。
【０００６】
別のアプローチでは、標準形状の同位元素の放射源を効率が較正されたＨＰＧｅ検出器を用いて較正する。一次放出と既知の分岐比を用いて、ガスイオンチャンバベース線量較正器の同じ放射源を較正し、バイアスの決定を可能にする。しかし、放射能のため、現場間で放射源を製造し、輸送することは、物流上困難である。
【発明の開示】
【課題を解決するための手段】
【０００７】
前置きとして、以下に記載する好適な実施形態は、機能イメージングにおける線量較正のための方法、装置、及び一時的でないコンピュータ読取可能記録媒体を含む。同じ長寿命同位元素のための異なる精密放射源を用いて較正を行い、１つの放射源をある場所から別の場所に輸送しなければならないことを回避する。イメージングに用いられる同位元素を用いた放射源への、長寿命同位元素の精密放射源に対する基準試験所の線量較正器の感度の比率を見出した。臨床現場（例えば、放射化学又は機能イメージング施設）では、長寿命同位元素を用いた他の放射源に対する遠隔ガスイオンチャンバベース線量較正器の感度と遠隔の線量較正器からの比率の測度を用いて、放射性医薬品の同位元素に対する遠隔の線量較正器の感度を決定する。患者の画像に使用する放射性医薬品のバイアス及び対応する線量は、放射性医薬品の同位元素に対する遠隔の線量較正器の感度を考慮するように較正された放射性医薬品の放射能に基づく。
【０００８】
第１の態様では、機能イメージングシステムに対する線量較正方法を提供する。第１の同位元素の第１の放射源に対する第１の放射能は、第１の場所の第１の線量較正器で測定され、第１のダイヤル設定は、第１の放射能から決定される。第２の同位元素の第２の放射源の第２の放射能は、第１の場所の第１の線量較正器で測定される。第２の同位元素は、第１の同位元素よりも寿命が比較的短い。第２のダイヤル設定は、第２の放射能から決定される。第１の同位元素の第３の放射源の第３の放射能は、第２の場所にある第２の線量較正器で測定される。第２の場所は、第１の場所とは異なる臨床又は製薬現場である。第３のダイヤル設定は、第３の放射能から決定される。第４のダイヤル設定は、第３のダイヤル設定から第２の同位元素の放射性医薬品に対して決定され、第２のダイヤル設定と第１のダイヤル設定の比率が決定される。第４のダイヤル設定を用いて放射性医薬品の第４の放射能を測定し、第４の放射能を用いて較正する。
【０００９】
第２の態様では、医療機能イメージングシステムの線量較正方法を提供する。第１の同位元素の第１の放射源の第１の放射能は、臨床又は製薬現場の第１の線量較正器で測定される。第１の同位元素に対する第１の線量較正器の第１の感度は、第１の放射源の第１の放射能と基準放射能から決定される。第２の同位元素に対する第１の線量較正器の第２の感度は、第１の感度と第２の線量較正器の第１の同位元素及び第２の同位元素に対する第３及び第４の感度の比率からそれぞれ求められる。第２の同位元素の放射性医薬品の放射能を第２の感度で測定する。
【００１０】
第３の態様では、機能イメージングの線量較正システムを提供する。放射性トレーサ源の放射能と放射性医薬品の放射能を測定するための第１の線量較正器が設けられている。プロセッサは、放射性トレーサ源の放射能と放射性トレーサ源の基準放射能から求めた線量較正器の第の１ダイヤル設定（１）、及び放射性医薬品の同位元素に対する放射性トレーサ源の同位元素の第２及び第３のダイヤル設定の比率（２）から、決定された線量較正器の第１のダイヤル設定から第１の線量較正器により放射性医薬品の放射能のバイアスを決定するように構成されている。
【００１１】
本発明は、添付した請求の範囲によって規定され、明細書中のどの記載も、それらの請求の範囲を限定するものとして見なすべきではない。本発明のさらなる態様及び利点については、好適な実施形態と共に以下において説明し、これらを独立又は組合せてクレームする。
【図面の簡単な説明】
【００１２】
構成要素及び図面は、必ずしも縮尺通りにはなっていない。それどころか、本発明の原理を説明する際に誇張がなされている。さらに、複数の図全体にわたり同一の参照符号を対応する部分に付与する。
【図１】インジウム（Ｉｎ）１１１の発光スペクトルを示す表である。
【図２】線量較正システムの一実施形態のブロック図である、
【図３】核医学イメージングのための線量較正方法の一実施形態のフローチャートである。
【図４】同位元素エネルギーによるガスイオンチャンバベース線量較正器の感度の例示的なグラフである。
【図５】定量的又は他の機能イメージングにおける補正線量使用のための、一実施形態によるＳＰＥＣＴシステムのブロック図である。
【発明を実施するための形態】
【００１３】
（図面の詳細な説明及び好適な実施形態）
複数の長寿命同位元素基準放射源が、加圧ガスイオンチャンバベース線量較正器の同位元素特異的較正に使用される。精密な長寿命同位元素放射源と相対較正により、線量較正が可能である。一定の幾何学的形状における長寿命同位元素の精密線量放射源と、一定の幾何学的形状の精密に製造された低減衰容器内の短寿命同位元素を用いて、基準試験所における基準線量較正器の相対ガスイオンチャンバの感度を決定する。臨床現場での相対ガスイオンチャンバの感度と基準ガスイオンチャンバの感度測定を用いて、短寿命同位元素の遠隔のガスイオンチャンバの感度を導出した。遠隔の線量較正器の較正バイアスは、放射性医薬品が放射する光子エネルギーに近いエネルギーの光子を放射する長寿命同位元素を用いた二次精密較正源を用いることにより、減少又は除去される。銅スリーブからの不確実性及び精密短寿命液体放射源を遠隔地に輸送する物流は避けられる。
【００１４】
図２は、取込値のＳＰＥＣＴ定量的イメージングなどの、機能イメージングにおける線量較正システムの一実施形態を示す。遠隔又は臨床ガスイオンチャンバベース線量較正器からの線量測定におけるバイアスは、２つの同位元素に対する別のガスイオンチャンバベース線量較正器の感度の比率に基づいて決定される。バイアスは、ＰＥＴ又はＳＰＥＣＴイメージングを較正するため、及び／又は定量的機能イメージングのための取込値を計算するためなど、任意の目的のために線量較正器によって提供される線量を補正するために使用してもよい。
【００１５】
図２のシステムは、バイアスの決定に関し、図５のシステムは、バイアス又はバイアス補正線量の使用に関する。図２のシステムは、図３の方法の一部を実施する（例えば、ステップ３０〜３８又はステップ３０〜３９）。異なる方法を実施してもよい。
【００１６】
このシステムは、基準線量較正器２０、臨床線量較正器２４、プロセッサ１２、メモリ１４、及びディスプレイ１６を備えている。追加の、異なる、又は少数の構成要素を設けてもよい。例えば、メモリ１４及び／又はディスプレイ１６は設けていない。別の例として、ＳＰＥＣＴシステム、ＰＥＴシステム、分光検出器、及び／又はユーザインターフェース（ユーザ入力装置及びディスプレイ１６）を提供する。
【００１７】
一実施形態では、システムは、異なる放射性同位元素及び／又は幾何学的形状に対するバイアスを決定する。同位元素及び／又は形状の関数としてのバイアスのテーブルが、１つ以上の機能イメージングシステムに設けられている。バイアスを決定するために、ダイヤル設定の比率又は基準線量較正器２０の感度補正又は同位元素及び／又は幾何学的形状の複数の組合せに対する比率のテーブルが、製造業者又は他の基準試験所によって提供される。各バイアスに対して、基準線量を用いた２つの基準放射源２２、２３が、基準線量較正器２０からの測定値を使用して比率を決定するために使用される。臨床（例えば、機能イメージングシステム又は機能イメージングシステムの現場によって患者撮像のために線量を調合する放射性医薬品の現場）は、既知の又は基準線量を用いた基準放射源２５を有する。放射源２２、２３を臨床又は放射性医薬品現場に送るのではなく、基準放射源２５を基準現場からの比率と共に使用して、患者のために調剤された放射性医薬品の臨床線量較正器２４の感度、バイアス、又はダイヤル設定を決定する。機能イメージングシステム又は臨床現場は、線量又は放射能値が提供された臨床線量較正器２４に適切なバイアス（例えば、感度又はダイヤル設定に対する調整）を適用することによって、提供された放射性医薬品に対して較正された線量を決定する。この補正された線量値は、より正確な放射能濃度測定及び／又は特定の取込値（ＳＵＶ）計算を実施する。
【００１８】
放射性医薬品２６の所定の同位元素に対するバイアスを決定するために、基準放射性トレーサ源２２、２３、及び２５を使用する。基準試験所の１つの基準放射源２２と臨床現場の１つの放射性トレーサ源２５は、長寿命同位元素である。放射源２２、２５は同じ同位元素を使用する。長寿命同位元素は、半減期が６か月、１年、２年、又は６か月、１年、２年より長い期間のいずれかである。任意の同位元素は、コバルト（Ｃｏ）５７、セレン（Ｓｅ）７５、又は錫（Ｓｎ）１１３，ゲルマニウム（Ｇｅ）６８のような、寿命の長い放射性トレーサ源２２、２５に含まれていてもよい。
【００１９】
基準試験所の１つの基準放射源２３は、放射性医薬品２６で使用される同じ同位元素を有する。この同位元素は比較的短寿命の同位元素であるため、放射性トレーサ源２２、２５の長寿命同位元素の半減期よりも半減期が短い。短寿命同位元素は、１か月、１週間、２日、１日、１か月未満、１週間、２日、１日未満など半減期が６か月未満である。任意の同位元素を、インジウム（Ｉｎ）１１１、ヨウ素（Ｉ）１２３、ヨウ素（Ｉ）１２５、キセノン（Ｘｅ）１３３、又はセリウム（Ｃｅ）１３９、ルテチウム（Ｌｕ）１７７、ヨウ素（Ｉ）１２３、ヨウ素（Ｉ）１３１、テクネチウム（Ｔｃ）９９、フッ素（Ｆ）１８、ガリウム（Ｇａ）６８のような短寿命基準源２３及び放射性薬品２６に含めることができる。
【００２０】
放射性医薬品２６は、患者組織内の機能的（例えば、代謝）プロセスに結合又は親和させるための医薬品を含む。また、短寿命同位元素も含む。代替的に、放射性医薬品２６は、臨床線量較正器２４測定時に医薬品が添加されていない同位元素を含む。
【００２１】
放射源２２、２３、２５、及び／又は２６は、任意の幾何学的形状で梱包されている。例えば、放射性トレーサは注射器内に入っている。別の例として、液体同位元素は、任意の形状の金属又はプラスチックのハウジング内に収容される。ハウジングのサイズ、形状、及び／又は材料が、幾何学的形状を規定する。短寿命同位元素にはプラスチックのような低減衰材料が用いられる。短寿命放射源２３及び／又は２６の容器の体積は、放射性医薬品２６の容積、単位用量、及び／又は患者処方薬に使用する容積と同一又は類似であってもよい。幾何学的形状は、好ましくは、プラスチック注射器内の液体放射性トレーサのような、機能イメージングのために提供される放射性トレーサのために一般的に使用される幾何学的形状の１つである。長寿命放射源２２及び／又は２５の材料、形状、及び体積は、短寿命放射源２３及び／又は２６及び／又は互いに同じ又は異なる。
【００２２】
基準線量及び臨床線量較正器２０、２４は、測定のために一定の幾何学的形状を有する。プラスチック又は他の材料形態又は部品が、放射源２２、２３、２５、及び／又は２６を、基準線量較正器２０及び臨床線量較正器２４内の特定の又は固定位置に配置することができ、測定のために一定の幾何学的形状を有する。
【００２３】
長寿命同位元素放射源２２、２５は、既知又は基準放射能あるいは線量を有する。基準試験所（例えば、液体同位元素の製造業者）は、正確な又は基準放射能を示す。例えば、結晶とのガンマ線相互作用によって発生した光を感知するための接触型ダイオードを用いるシンチレーション結晶を有するガンマ線の固体検出器などの分光検出器が使用される。一実施形態では、高純度又は他のゲルマニウム（ＨＰＧｅ）検出器が使用される。ゲルマニウム円柱を冷却し、電圧を印加する。放射源２２又は２５は一端に配置され、ガンマ線放射はＧｅ半導体中の陽極及び陰極配置で検出される。光電子増倍管に基づくなど、他の分光検出器を使用してもよい。短寿命の同位元素基準放射源２３も同様に、基準放射能又は線量を有する。基準試験所は、分光検出器を用いて正確な又は基準放射能を示す。
【００２４】
同一又は異なる分光検出器は、放射性トレーサ源２２、２３、及び２５の放射能を測定する。光子あるいはガンマ線放射と分光検出器との相互作用によって発生した電気信号を測定する。この測定により、線量又は放射能が得られる。分光検出器は較正されており、異なるエネルギーでの放射を測定することができる。各エネルギーにおける放射は、Ｘ線エネルギーではなく、一次放出エネルギーで測定するなど、別々に測定してもよい。
【００２５】
基準線量較正器２０及び臨床線量較正器２４は、加圧イオンガスチャンバ線量較正器のような加圧ガス線量較正器である。加圧気体は、２つの同心円筒又は他の形状の間の隙間に収容される。放射源２２、２３、２５、２６は、異なる時間に、基準線量較正器２０又は臨床線量較正器２４の内筒内に配置される。気体に到達する放射性トレーサ源２２、２３、２５、又は２６からの放射は、気体と相互作用し、イオン−電子対を生成する。電圧が、陽極及び陰極として動作するシリンダーの両端又は間に印加される。イオン−電子対からのエネルギーが測定され、同位元素放射源２２、２３、２５、及び／又は２６の放射能又は線量が得られる。
【００２６】
ガスイオンチャンバベース線量較正器２０、２４は、同位元素放射源２２、２３、２５、２６の放射能を測定する。放射されたガンマ線と加圧気体との相互作用により発生した電気信号を測定した。この測定により、線量又は放射能が得られる。線量較正器２０、２４は較正され、気体と相互作用する全ての放射を測定する。線量較正器２０、２４は、分光検出器とは異なる種類の放射能測定システムである。
【００２７】
基準線量較正器２０は、基準放射源２２及び２３の長寿命及び短寿命同位元素の放射能又は線量を測定する。臨床線量較正器２４は、臨床放射源２５及び２６の長寿命及び短寿命同位元素（例えば、精密長寿命同位元素放射源２５及び患者の撮像に使用される放射性医薬品２６）の放射能又は線量を測定する。
【００２８】
基準線量較正器２０は、臨床線量較正器２４とは遠隔又は複数の施設（例えば、複数の建物、都市、状態及び／又は国）で測定を行う。例えば、基準線量較正器２０は、分光検出器を有する基準試験所、製造業者、又は基準情報を提供する施設にある。臨床線量較正器２４は、放射性医薬品２６を患者に投与及び/又は撮像するために用いられる患者又は病院、あるいは他の施設で使用するために、放射性医薬品２６を調剤及び／又は製造するための放射性医薬品の調剤室などの臨床現場にある。
【００２９】
プロセッサ１２は、一般的なプロセッサ、デジタル信号プロセッサ、グラフィックス処理ユニット、特定用途向け集積回路、フィールドプログラマブルゲートアレイ、デジタル回路、アナログ回路、これらの組み合わせ、又は較正又は線量決定のために現在既知又は後で開発される他の装置である。プロセッサ１２は、単一の装置、複数の装置、又はネットワークである。複数の装置に対しては、処理の並列又は逐次分割を使用してもよい。プロセッサ１２を構成する複数の装置は、複数の機能を実行することができる。一実施形態では、プロセッサ１２は、線量較正器２４又は機能イメージングシステムの制御プロセッサ又は他のプロセッサである。他の実施形態では、プロセッサ１２は、別のワークステーション、サーバ、又はコンピュータの一部である。プロセッサ１２は、本明細書に記載する様々な動作を実行するために、ハードウェア、ファームウェア、及び／又はソフトウェア命令に従って動作するハードウェア装置である。
【００３０】
プロセッサ１２は、臨床線量較正器２４によって測定された放射性医薬品２６の放射能のバイアスを決定するように構成される。不確実性のため、臨床線量較正器２４からの測定値には不正確さが含まれる。例えば、図４は、エネルギー別に異なる感度レベルを有する線量較正器の非線形感度曲線を示す。二重矢印は、感度曲線の未知又は不確実な遷移をベースラインとして表す。エネルギーの関数として異なる形状又は感度を有する曲線のような、他の不確実性を反映してもよい。臨床線量較正器２４を較正するために、所定の同位元素又はエネルギーに対するバイアス値が決定される。バイアス値は、患者撮像に使用される放射性トレーサ源（すなわち、放射性医薬品２６）に対して臨床線量較正器２４によって測定される線量の補正に使用される。
【００３１】
バイアスは、放射能の測定値と実際の放射能との間のパーセント差、比率差、又は他の関係又は補正である。例えば、臨床線量較正器２４は、放射性医薬品２６の放射能又は線量を１．５ミリキュリーとして測定する。バイアスは、パーセント差（すなわち、５０％）、オフセット（例えば、０．５）、又は比率（例えば、０．６７又は１．５）として計算される。２つの値の間の他の関係を使用してもよい。バイアスは、ダイヤル設定のようなスケール変換又は変換係数であってもよい。ダイヤル設定は、そのエネルギーでの線量較正器固有の感度を補正するためのバイアスである。臨床線量較正器２４は、より正確な放射能又は線量を出力するためにダイヤル設定を適用することができる。あるいは、別の装置（例えば、機能イメージングシステム又はワークステーション）は、臨床線量較正器２４によって測定された放射能出力にバイアス又はダイヤル設定を適用する。
【００３２】
バイアスの値は、感度較正に使用される。バイアスは、線量値を比率又はパーセント差で除算又は乗算する、又はオフセットを加算又は減算するなどして、提供された線量に重みを付ける。このバイアス補正された線量は、種類又はＳＰＥＣＴシステムの感度較正に使用される。遠隔の線量較正器によって測定された放射性医薬品の補正線量は、遠隔のＳＰＥＣＴシステムによって、特定の取込値又は放射能濃度の再構成又は計算に使用してもよい。所定の患者の放射性トレーサの製造者が提供する線量は、バイアス補正が変更されているか、既に含まれている。
【００３３】
バイアスは、放射性トレーサ源又は放射性医薬品２６の特定の放射性同位元素及び幾何学的形状に対して決定される。例えば、バイアスは、臨床線量較正器２４内の所与のサイズ、形状、及び場所のガラスバイアル中のインジウム（Ｉｎ）１１１に対して決定される。他の同位元素及び／又は幾何学的形状に対しては、別々のバイアスが決定される。
【００３４】
適用されるバイアスは、臨床線量較正器２４に依存する。異なる臨床線量較正器２４は、同じエネルギーに対して別のバイアスを有してもよく、所与の臨床線量較正器２４は、異なるエネルギーに対して別のバイアスを有してもよい。この不確かさを除去するために、１つの線量較正器に対する長寿命精密放射源２２に対する感度又はバイアス（例えば、ダイヤル設定）の短寿命精密放射源２３に対する比率、及び長寿命精密放射源２５に対する臨床線量較正器２４の測定を使用する。精密放射源２２、２３、及び２５は、バイアス決定のために既知又は基準放射能を有する。放射性医薬品２６の同位元素に対する臨床線量較正器２４に対するバイアスを見つけるために、他の線量較正器（すなわち、基準線量較正器２０）からの比率、及び精密長寿命放射源２５に対する臨床線量較正器２４に対するバイアスを使用する。
【００３５】
放射性医薬品同位元素に対するバイアスは、基準線量較正器の長寿命バイアスに対する短寿命バイアスの比率、臨床線量較正器に対する長寿命同位元素のバイアスとして見出された。プロセッサ１２は、放射性トレーサ源２５の放射能とその放射源２５の基準放射能とから求められる臨床線量較正器２４のダイヤル設定（１）と、放射性トレーサ源２５の同位元素に対する放射性トレーサ源２５の同位元素の長寿命及び短寿命の同位元素ダイヤル設定の比率（２）とから、臨床線量較正器２４によって放射性医薬品２６の放射能のバイアスを決定するように構成されるが、これは、異なる基準放射源２２、２３においてである。この比率は、基準試験所での基準線量較正器２０からの測定に基づいており、高純度ゲルマニウム又は他の検出器による測定に基づく既知又は基準放射能を用いて、バイアスが見出される。長寿命同位元素のエネルギーに対する基準情報に基づいて決定される臨床線量較正器２４の感度、及び長寿命及び短寿命同位元素のエネルギーに対する基準情報に基づく感度比率を用いて、放射性医薬品２６の短寿命同位元素に対する臨床線量較正器２４の感度を決定する。
【００３６】
臨床現場での実施のために、異なる比率のテーブル又は使用する比率がメモリ１４に記憶される。臨床現場で利用可能な精密放射源２５は、所定の長寿命同位元素用である。所定の患者に使用する放射性医薬品２６は、特定の短寿命同位元素である。この２つの同位元素に対する比率はテーブルから参照されるか、さもなければアクセスする。異なる幾何学的形状に対して異なるテーブル及び／又は比率を設けることができるので、線量には幾何学的形状（例えば、放射源の形状、放射源のサイズ、及び／又は線量較正器２０、２４内の場所）を含めることもできる。
【００３７】
プロセッサ１２は、放射性医薬品２６のバイアス（例えば、ダイヤル設定又は感度補正）及び／又は補正線量を決定するように構成される。補正された線量は、バイアスに対して較正又は調整された測定放射能である。放射性医薬品２６に対する臨床線量較正器２４からのバイアス及び／又は測定された線量は、メモリ１４に記憶することができる。補正された線量値をメモリ１４に記憶してもよい。バイアス値、測定値、又は線量値のいずれかをディスプレイ１６に表示してもよい。
【００３８】
ディスプレイ１６は、ＣＲＴ、ＬＣＤ、プラズマ、投射、プリンタ、又は他の表示装置である。ディスプレイ１６は、画像を表示するために、表示面又はバッファに記憶されたデータによって構成される。画像は、測定された線量、バイアス、及び／又は補正された線量のものであってもよい。
【００３９】
図３は、機能イメージングシステム（例えば、ＳＰＥＣＴ又はＰＥＴシステム）のための線量較正方法のフローチャートの一実施形態を示す。以下の例は、ＳＰＥＣＴのためのものであるが、ＰＥＴ又は他の機能イメージング治療法おいて使用してもよい。患者の放射性医薬品の線量は、遠隔の精密放射源のための基準測定及び基準ガスイオンチャンバベース線量較正器のための基準感度比率によって、ばらつきを除去又は減少させる方法で較正される。放射能濃度の推定又は取込計算（例えば、特定の取込値の計算）のために、比率及び精度又は基準放射源を用いて、放射性医薬品の同位元素に対する遠隔のガスイオンチャンバベース線量較正器の感度を決定する。
【００４０】
図３の方法は、バイアスの決定、感度較正のためのバイアスの使用、及び遠隔のシステムでの線量補正の較正の使用に関する。使用のために、この方法は、特定の患者の所与の走査に対して適用される。この方法を患者の複数の走査に適用することにより、結果として得られた量を比較し、線量の違いによる分散がほとんどないか、又は全く無くすることができる。複数の走査は、同じ又は異なる検出器及び／又は線量を使用する。同様に、平均又は平均からの偏差を求めるために、患者間でＳＵＶ量を比較してもよい。線量較正を行わない場合、放射能濃度又は取込の経時的な比較は、患者又は患者の代謝機能とは無関係な分散の影響を受ける。
【００４１】
基準試験所と臨床現場との間の放射源の輸送を避けるために、同じ同位元素であるが異なる試料の精密放射源を両方の場所で使用する。精密放射源は、精密放射源の同位元素のエネルギーでのバイアスを決定するための基準放射能を有する。試料はこれらの長寿命同位元素では異なっていてもよいが、幾何学的形状及び／又は同位元素は同じである。放射性医薬品の同位元素の基準放射源は、基準試験所では提供されるが、臨床現場では提供されない。また、放射性医薬品は、臨床現場では提供されるが、基準試験所では提供されない。試料は、これらの短寿命同位元素では異ってもよいが、幾何学的形状及び／又は同位元素は同じである。
【００４２】
追加の、異なる、又は少数のステップを実行してもよい。例えば、ステップ３０〜３３は、基準試験所で実行されるステップに関するものである。代替実施形態では、所定の放射性医薬品に対してステップ３０〜３３を実行することなく、臨床現場にテーブル又は比率を設ける。別の例として、ステップ３９及び／又は４０は設けない。他の例では、位置決め、構成、及び／又は起動に関連するステップを設けている。
【００４３】
ステップは、示された順序（上から下又は数字）又は異なる順序で実行される。例えば、ステップ３０／３１、３２／３３、及び３４／３５は、同時に又は任意の順序で実行される（例えば、ステップ３０／３１の前に実行されるステップ３２／３３）。
【００４４】
ステップ３０では、基準ガスイオンチャンバベース又は別の線量較正器が、長寿命同位元素の放射源に対する放射能を測定する。加圧ガスイオンチャンバは、放射性同位元素の試料の放射能を測定する。すなわち、所定の幾何学的形状を有する所定の容器内の放射性同位元素の試料を測定する。較正は幾何学的形状と放射性同位元素特異的である。
【００４５】
放射能量は、単位時間当たりの放射量によって蓄積された総エネルギーについて測定される。測定される放射能には、一次放出からのエネルギー、並びに他のガンマ線及び／又はＸ線放射からのエネルギーが含まれる。
【００４６】
放射能は、製造業者又は施設のような基準試験所で、分光検出器を用いて測定される。他の場所又は遠隔施設、又は他の場所と異なる、あるいは患者ベースイメージングのために放射性医薬品を調剤又は使用する施設で測定してもよい。
【００４７】
同様の測定が、異なる放射源を使用して、ステップ３２、３４、及び３６において実行する。幾何学的形状、場所、使用する線量較正器、及び／又は同位元素の違いのような、他の相違があっても、無くともよい。
【００４８】
長寿命同位元素放射源は既知の放射能レベルを有する。高純度ゲルマニウム検出器又は他の分光検出器のようなゲルマニウム検出器が基準放射能レベルを測定する。例えば、高純度ゲルマニウム（ＨＰＧｅ）、効率較正ＨＰＧｅ、又は他の分光検出器は、長寿命放射性同位元素の試料の放射能を測定する。放射能は、１つ以上の一次放出エネルギーを測定する。例えば、Ｉ１２３の放射性同位元素試料の放射能は１５９．５  ｋｅＶで測定され、他のエネルギーでは測定されない。ある範囲のエネルギーは、同位元素についての１つ以上の一次ガンマ線放出エネルギーについての許容範囲などで測定することができる。Ｘ線エネルギーは測定しない。測度は、１つのエネルギーウィンドウに対する放射能であってもよいし、又はエネルギーの組合せにおける放射能であってもよい。
【００４９】
測定は、所定の幾何学的形状を有する所定の容器内の放射性同位元素の試料のものである。較正は幾何学的形状及び放射性同位元素特異的である。類似の基準測定が、ステップ３２及び３４において測定される基準放射源に対して行われる。
【００５０】
ステップ３１において、プロセッサは、長寿命同位元素の試料について測定された放射能と、長寿命同位元素の試料の基準又は既知の放射能とから、ダイヤル設定を決定する。長寿命同位元素のエネルギーレベルについてステップ３０で測定をしたガスイオンチャンバベース線量較正器の感度を決定する。長寿命同位元素を一定の幾何学的形状にした精密放射源を用いて、長寿命同位元素のエネルギーにおけるその基準線量較正器のＤＣダイヤル設定を決定する。
【００５１】
一実施形態では、基準線量較正器は、単位時間当たりの放射によって蓄積された全エネルギーを測定し、測定されたエネルギーをチャンバ感度及び一次放出分岐によって正規化し、１秒当たりの減衰（Ｂｑ）を計算することによって、放射性同位元素の放射能を較正する。基準線量較正器は、放射性同位元素に対して効率又は感度を有する。効率は、チャンバの感度及び同位元素の他の放射に対する一次ガンマ線放出からのエネルギー量を説明する。効率補正、感度補正、又はダイアル設定は、Ｘ線エネルギー、二次ガンマ線エネルギー、及び一次ガンマ線エネルギーでの放射を検出する際の感度の差を説明するために、測定値に対する調整又はバイアスを示す。
【００５２】
ダイヤル設定は、測定された放射能と長寿命放射源の基準放射能との差（例えば、減算又は比率）を表すバイアスである。代替実施形態では、バイアス又はダイヤル設定は、基準線量較正器について知られているので、ステップ３０での測定は行われない。ダイヤル設定やバイアスはテーブルから参照される。
【００５３】
同様の決定が、異なる放射源を使用するステップ３１、３３、及び３５において行われる。異なる放射源の基準放射能は、対応するエネルギーにおける同一又は複数の線量較正器の対応するダイヤル設定を決定するために使用する。
【００５４】
ステップ３２では、基準ガスイオンチャンバベース又は別の線量較正器が、別の同位元素放射源の放射能を測定する。もう一つの同位元素は、放射性医薬品に用いる同位元素と同じであるため、短寿命同位元素である。この同位元素では、ステップ３０及び３４で測定した同位元素の半減期よりも半減期が比較的短い。
【００５５】
放射能の測定は、ステップ３０の測定の場合と同じ又は異なる場所で行われる。例えば、測定は基準試験所で行われる。場所は、臨床又は製薬現場とは異なる。
【００５６】
測定は、ステップ３６の放射性医薬品の放射能測定に使用するものと同じ形状の同位元素の放射源を用いた。ステップ３０及び３４における長寿命同位元素の放射源を測定するために、幾何学的形状は同じであってもよい。プラスチック片のようなスペーサ、外形、又はホルダが、線量較正器内の所定の場所に基準放射源を保管する。
【００５７】
短寿命同位元素を用いた放射源の基準放射能が知られている。分光検出器又は他の検出器を用いて、所望の帯域又はエネルギー帯域におけるガンマ線放射の放射能を決定する。
【００５８】
ステップ３３では、線量較正器のプロセッサのようなプロセッサがステップ３２で測定された放射能からダイヤル設定を決定する。短寿命同位元素のエネルギーに対する基準線量較正器の感度は、測定放射能と短寿命同位元素に対する基準放射能に基づいて決定される。一定の幾何学形状及び体積の低減衰材料で製作された精密容器を用いて、基準試験所での短寿命同位元素のための基準線量基準器のダイヤル設定を決定する。
【００５９】
ステップ３４では、臨床ガスイオンチャンバベース又は別の線量較正器が、長寿命同位元素の精密放射源の放射能を測定する。長寿命同位元素は、ステップ３０で測定された基準放射源の場合と同じであるが、異なる試料を使用する。ステップ３４での測定のための線量較正器における放射源及び／又は放射源位置の幾何学的形状は、ステップ３０における精密放射源の測定の場合と同じである。異なる放射能、体積、形状、及び／又は材料を使用することができる。長寿命同位元素放射源の両方に対して、同じ体積、形状、及び材料を使用するのが好ましい。
【００６０】
測定は、機能イメージングシステムが設置されている病院、又は患者処方箋のために放射性医薬品が製造され、調剤され、又は充填される製薬現場のような臨床現場で行われる。臨床現場は、大量調製場所、又は放射性医薬品の患者特定線量の調剤室であってもよい。臨床現場は、基準線量較正器がステップ３０及び３２の測定を実施する場所とは異なる場所であるが、同じ場所であってもよい。
【００６１】
臨床現場は、長寿命同位元素と精密容器の精密放射源を得て、ステップ３０の測定を繰り返す。測定の繰り返しは、同位元素の別の試料と、基準線量較正器とは別の線量較正器によって行われる。
【００６２】
ステップ３４において測定される精密放射源は、対象となるエネルギー帯域又は帯域において既知の放射能を有する。ゲルマニウム（例えば、高純度ゲルマニウム）又は他の分光検出器は、同じ又は複数の基準試験所において、放射源を臨床現場に持つ基準放射能を測定する。
【００６３】
ステップ３５では、臨床線量較正器のプロセッサのようなプロセッサが、ステップ３４で測定された放射能とその放射源の基準放射能とからダイヤル設定を決定する。臨床線量較正器の長寿命同位元素に対する感度は、精密放射源に対する測定及び基準放射能に基づいて決定する。また、バイアス又は感度補正を決定する。
【００６４】
臨床現場（例えば、機能イメージングシステムの製薬現場又は施設）で決定が行われるが、別の場所であってもよい。臨床現場は精密放射源と精密容器を入手し、ステップ３１の判定を繰り返すが、同位元素の遠隔の放射源及び遠隔の線量較正器を用いる。精密放射源は、他の理由により既に臨床現場に存在する可能性が高いため、毎年又は２年毎に放射性物質を輸送する物流が確立されている。
【００６５】
ステップ３６において、臨床線量較正器は、放射性医薬品の放射能を測定する。患者撮像に使用する放射性医薬品の単位線量、処方線量、又は大量線量を測定する。放射性医薬品中の同位元素は、ステップ３２で測定した基準放射源用の短寿命同位元素と同じ同位元素である。同じ同位元素を用いた異なる試料は、異なる線量較正器によって測定される。試料は、異なる線量較正器内の同じ場所に保管される。試料の材料又は放射源の形状、サイズは異なるか同じである。ステップ３２の測定は、反復されるが、放射性医薬品と異なる線量較正器（すなわち、基準線量較正器の代わりに臨床線量較正器）では反復されない。
【００６６】
放射性医薬品の放射能の測定は、臨床線量較正器の感度の影響を受ける。従って、放射能測定は不正確であったり、不確実性が伴う。
【００６７】
臨床現場では分光検出器が利用できないため、プロセッサが、ステップ３７で短寿命同位元素の臨床線量較正器のダイヤル設定を決定する。ダイヤル設定は、基準線量較正器のダイヤル設定の比率と、ステップ３５で決定したダイヤル設定から決定する。ステップ３５で決定されたバイアスと、バイアスの比率を使用する。
【００６８】
この比率は、異なる試料中の同じ長寿命及び短寿命同位元素に対する異なる線量較正器の感度のものである。ステップで３１及び３３で決定されたダイヤル設定は、基準試験所で比率から決定する。ステップ３０及び３２の測定値の比率は、基準試験所で測定される同位元素ペアに対する追跡可能なダイヤル設定比率を与える。臨床線量較正器の放射性医薬品の短寿命同位元素に対する感度は、ステップ３５で決定した長寿命放射源に対するその臨床線量較正器の感度と、基準線量較正器からの同位元素ペア（長寿命及び短寿命同位元素）の感度比率から求める。１つの線量較正器の感度、バイアス、及び／又はダイヤル設定の比率は、他の線量較正器の比率と等しくなる。３つの発生源に対する既知の放射能により、それらの３つの放射源に対する感度が決定される。これらの既知の感度は、放射性医薬品の短寿命同位元素に対する臨床線量較正器の未知の感度を解決するために使用する。患者のＳＰＥＣＴ画像のために調剤される放射性薬品の臨床線量較正器のダイヤル設定又は感度補正を計算する。
【００６９】
決定は、臨床線量較正器のプロセッサ又はローカルワークステーション又はコンピュータを使用するなど、臨床現場で行われる。あるいは、別の場所にあるプロセッサは、基準試験所と臨床現場からの測定されたダイヤル設定を用いて、臨床線量較正器から離れた機能イメージングシステムが設置された場所など、別の場所のダイヤル設定を決定する。
【００７０】
同位元素ペアに対する比率のテーブルを設けてもよい。１つ以上の異なる同位元素ペアに対してステップ３０〜３３から得られた結果はテーブルに記憶される。異なる元素ペアに対して同じ又は異なる基準線量較正器が使用されたかもしれない。この比率は、利用可能な長寿命及び短寿命同位元素ペアに対する臨床線量較正器のダイヤル設定の決定に参照される。ステップ３４及び３６で測定された長寿命及び短寿命同位元素の同じ組合せに対応する比率は、アクセスするか、又は提供される。長寿命精密放射源のダイヤル設定のための遠隔の値と基準試験所からの比率を用いて、短寿命同位元素のダイヤル設定を遠隔のために、又は臨床現場のために導出した。
【００７１】
ステップ３８では、プロセッサは、ダイヤル設定及び測定された放射能からのバイアスを決定する。ダイヤル設定は、バイアスであってもよいし、ダイヤル設定は、バイアスを参照又は決定するために使用される。ダイヤル設定及び／又はバイアスは、放射性医薬品の短寿命同位元素のエネルギーに対する臨床線量較正器の感度補正である。放射性医薬品の放射性同位元素の試料についてバイアスを計算した。臨床線量較正器は、放射性医薬品の測定放射能に適用するバイアスを決定するなど、ダイヤル設定で較正する。
【００７２】
バイアスは試料中の幾何学的形状及び／又は同位元素に特異的である。バイアスの較正及び決定は、異なる幾何学的形状及び同位元素の組合せに対して繰り返してもよい。バイアスは臨床線量較正器からの線量の不正確さの量を示すため補正に使用する。
【００７３】
放射性医薬品は、測定された線量で調合及び／又はラベルに記載することができる。あるいは、線量又は放射能が補正され、補正された線量が、調剤及び／又はラベルに記載される。
【００７４】
ステップ３９では、プロセッサは、バイアスを用いて放射性医薬品の線量値を補正する。バイアスを決定し、次いで、記憶し、及び／又は感度較正に使用する。バイアスは、所定の幾何学的形状に対して臨床線量較正器によって測定された短寿命同位元素について、任意の線量に適用される補正係数である。測定された放射能を補正し、遠隔の線量較正器のばらつきによる不整合を除去又は低減する。補正は乗算、除算、加算、又は減算して行う。その代わりに、他の機能を使用してもよい。代替実施形態では、遠隔の補正係数は、線量値に適用される重み又は他の調整の参照に使用する。直接又は間接のいずれの意味においても、患者に使用される放射性トレーサに対する投与線量値を補正する。補正は線量較正器の測定値の誤差量を示すため、遠隔の線量値に重みを付ける。代替実施形態では、感度の差に基づく補正は、先に決定された遠隔の感度に適用される。
【００７５】
このアプローチは、放射汚染の種類（例えば、低又は高エネルギーバッグラウンド）に鈍感である。この補正は、放射スペクトルの複雑さにかかわらず、任意の同位元素を較正する際に適用することができる。
【００７６】
バイアスに基づき補正された線量は、ＳＰＥＣＴ、ＰＥＴ、又は他の機能イメージングで使用する。機能イメージングシステム（例えば、ＳＰＥＣＴシステム）は、放射能濃度を推定する。液体放射性トレーサ（放射性医薬品）を投与された患者の放射能濃度は、再構成の一部として決定される。放射性医薬品を患者に投与又は注入した後、検出器に対して患者を位置決めし、及び／又は患者に対して検出器を位置決めする。患者体内の放射性医薬品からの放射は、経時的に検出される。
【００７７】
放射性医薬品から放射された患者体内の場所を決定するために、検出された放射を物体空間に再構成する。容積又は画像データ内の分布を再構成する。ＳＰＥＣＴイメージングシステムは、投与された放射性医薬品又はトレーサの放射能濃度を異なる場所について推定する。
【００７８】
再構成のために、放射能濃度をシステム行列又はモデルを用いて再構成した。再構成は反復的であり、定量的再構成の前提条件として画像形成物理のモデルを含む。画像形成モデルは、検出されたデータ（例えば、数量）、システム行列又はモデル、同位元素特性（例えば、補正された線量値）、及び生物学を含む。システム行列又はモデルは、システムの機械的特性を表すが、他の情報（例えば、ＳＵＶによって表される投与時間及び患者体重）を含んでもよい。
【００７９】
再構成は、与えられたＳＰＥＣＴシステム又はＳＰＥＣＴクラスをシミュレートするための射影演算子を含む。現在知られている、又は後で開発された再構成方法は、最尤推定気体最大化法（ＭＬ−ＥＭ）、期待値最大化法（ＯＳＥＭ）、罰則つき重み付き最小二乗法（ＰＷＬＳ）、事後最大確率法（ＭＡＰ）、マルチモーダル再構成、非負拘束最小二乗法（ＮＮＬＳ）、又は別のアプローチに基づく、
【００８０】
イメージ物理学は、ＳＰＥＣＴシステムの較正など、ＳＰＥＣＴシステムの態様を含む。システム行列又はモデルには、患者に投与される液体放射性トレーサのエネルギーに対するシステム固有の感度など、検出器の感度が含まれる。補正された線量は、システム行列又はモデルの一部として、又は再構成で使用される別の同位元素データとして含まれる。代替的又は追加的に、遠隔の線量較正器の分散を説明するために補正した感度を使用する。
【００８１】
定量的ＳＰＥＣＴでは、ステップ４０において患者に投与され、患者体内に注入するトレーサ（すなわち同位元素）のｋＢｑ／ｍｌにおける取込としての放射能濃度を推定することが目標である。患者は、バイアスに基づく線量で撮像される。放射能濃度から取込量を算出する際には、補正された線量値を使用する。注入された線量を補正すると、遠隔の線量較正器固有のばらつきがない、又は減少した、より正確な取込値が得られることになる。
【００８２】
特定の取込値（ＳＵＶ）は、機能イメージングシステムのプロセッサによって計算される。放射能濃度は各地での取込量を表す。この取込量は放射される放射線の尺度であるため、患者に照射される放射線量については正規化されない。その結果、同じ線量で照射されない限り、異なる時間からの取込を比較することは役に立たないかもしれない。ＳＵＶを計算することにより、線量に対して正規化された取込が得られ、異なる尺度の比較が可能になる。
【００８３】
各場所又は一部の場所のＳＵＶが計算される。ＳＵＶは、その場所の放射能濃度と補正された線量の関数である。放射能濃度を補正した投与線量値で割る。他の機能を使用してもよい。例えば、ＳＵＶは、患者の体重又は他の物理的特性の関数であってもよい。放射能濃度で表される取込の大きさは、線量と体重の両方について正規化される。
【００８４】
線量較正器の感度に対して較正するために、ＳＵＶは経時的に又は複数の検査からより正確に比較することができる。複数の放射性トレーサ線量及び／又は複数の検出器を使用することができる。異なる検査がバイアスに対する補正を使用する場合、結果として生じるＳＵＶの差は、検出器又は線量の分散による差ではなく、診断又は代謝の差を表す可能性が高い。ＳＰＥＣＴのような機能イメージングにおける定量化は、正確な放射能濃度と正確なＳＵＶの両方を提供する。
【００８５】
図５は、補正された線量値を使用する機能イメージングのシステムを示す。システムは、ＳＰＥＣＴスキャナ５０と、プロセッサ５１と、メモリ５３と、ディスプレイ５５とを備えている。プロセッサ５１、メモリ５３、及び／又はディスプレイ５５は、ＳＰＥＣＴスキャナ５０の一部であるか、又は別のもの（例えば、コンピュータ又はワークステーション）である。プロセッサ５１、メモリ５３、及び／又はディスプレイ５５は、それぞれ図２のプロセッサ１２、メモリ１４、及び／又はディスプレイ１６であってもよいし、別個のデバイスであってもよい。追加の、異なる、又は少数の構成要素を設けてもよい。例えば、システムは、ＳＰＥＣＴスキャナ５０を備えていないコンピュータである。別の例として、ユーザ入力、患者ベッド、又は他のＳＰＥＣＴ関連装置が設けられる。システムの他の部分は、電源、通信システム、及びユーザインタフェースシステムを備えてもよい。さらに別の例では、ＰＥＴスキャナ又は他の機能イメージングシステムが、ＳＰＥＣＴスキャナ５０の代わりに設けられる。
【００８６】
ＳＰＥＣＴスキャナ５０は、ＳＰＥＣＴシステムである。ＳＰＥＣＴシステムとして、検出器５８が設けられている。コリメータのような他の構成要素を設けてもよい。現在公知の又は後で開発されるＳＰＥＣＴスキャナ５０を使用してもよい。検出器５８はガントリーと接続されたガンマ線カメラである。ガンマ線カメラは、結晶又は光検出器を備えたシンチレータを有するような平面光子検出器である。ガントリーは患者を中心にガンマ線カメラを回転させる。患者の走査中、放射は、患者に対して異なる場所又は角度のカメラで検出される。放射は、患者体内の放射性トレーサ５７からのものである。
【００８７】
ＳＰＥＣＴスキャナ５０は、検出器５８を用いて、放射性トレーサ５７からの放射を検出する。放射性トレーサ５７は放射性医薬品２６であるため、短寿命放射源２３と放射性同位元素及び幾何学的形状は同じであるが、異なる又は同じ試験所からとは異なる試料であってもよい。患者体内の取込みを撮像するために、検出器５８は、患者からの放射を検出する。放射は、有限の発生源（すなわち患者）体内の任意の場所から発生する。患者体内の放射性トレーサ５７は、特定種類の組織又は特定の生化学反応に関連する場所に移動し、結合し、又は濃縮する。その結果、その種類の組織又は反応の場所からより多く放射される。例えば、放射性トレーサ５７は、グルコースの取込、脂肪酸合成、又は他の代謝過程の場所と結合するように指定する。
【００８８】
ＳＰＥＣＴスキャナ５０は、検出されたデータにシステム行列又はモデルを適用することによって、撮像された容積を再構成するように構成される。プロセッサ５１は再構成を実行するために使用するか、又はＳＰＥＣＴスキャナ５０は再構成を実行する別のプロセッサを有する。患者体内の放射能濃度を推定するために、任意の再構成を使用してもよい。ＳＰＥＣＴスキャナ５０は、メモリ５３又はバッファから検出された放射にアクセスして再構成する。システム行列又はモデルは、患者に投与される液体放射性トレーサに対するシステムの感度を含む。この感度を再構成に用いた。線量較正測定の補正には、遠隔の較正感度と、バイアス補正線量に基づく工場較正感度の差を用いる。この再構成は、患者に投与される放射性トレーサに対する線量値の感度に基づく補正も使用する。補正された線量を使用する。
【００８９】
プロセッサ５１は、ソフトウェア、ファームウェア、及び／又はハードウェアによって構成される。プロセッサ５１は、ステップ３９の補正やステップ４０のＳＵＶの計算など、本明細書に記載された様々な動作を実行するために、記憶された命令に従って動作する。プロセッサ５１は、患者に投与される放射性トレーサ５７の同位元素及び幾何学的形状に対応する所与の同位元素及び幾何学的形状に対するバイアス又は較正された感度を受け取り、線量し、又はアクセスする。プロセッサ５１は、バイアスを使用して、線量較正器からの線量を補正する。患者をスキャンする場合、プロセッサ５１は、バイアス補正を用いて、線量に対する遠隔の補正を決定する。プロセッサ５１は、較正された感度と測定された感度との間の差に基づく補正を用いて、放射性トレーサ５７に対する線量値を補正することができる。プロセッサ５１は、患者に投与される液体放射性トレーサの入力線量を補正するように構成される。例えば、感度比率は線量に乗じられる。
この補正された線量に基づいて、プロセッサ５１は、放射能濃度を再構成し、及び／又はＳＵＶを計算するように構成される。１つ以上のＳＵＶは、放射能濃度を補正線量で正規化することにより算出する。結果として生じるＳＵＶは、システム及び／又は用量によるばらつきが少ないため、患者の代謝機能の変化を表している可能性が高い。
【００９０】
バイアス、線量値、走査データ、感度、補正された線量、測定された放射能、効率、及び／又は他の情報は、メモリ５３及び／又は１４に記憶される。データは任意の形式で保存される。メモリ５３、１４は、バッファ、キャッシュ、ＲＡＭ、リムーバブルメディア、ハードドライブ、磁気、光学、データベース、又は現在又は後で開発された他のメモリである。メモリ５３、１４の各々は、２つ以上の装置の単一の装置又はグループである。一実施形態では、メモリ５３は、比率、バイアス、ダイヤル設定、感度、及び／又は同位元素及び幾何学的形状の関数としての感度の差に基づく補正テーブルを保存する。テーブルは、ＳＰＥＣＴスキャナ５０に遠隔の線量較正器からの線量を補正する際に使用するために、機能イメージングシステムのメモリ５３に転送される。
【００９１】
メモリ５３、１４は、追加的に又は代替的に、処理命令を記憶した一時的でないコンピュータ読取可能記憶媒体である。メモリ５３、１４は、それぞれプログラムされたプロセッサ１１、５２によって実行可能な命令を表すデータを保存する。本明細書に記載したプロセス、方法及び／又は技術を実施するための命令は、キャッシュ、バッファ、ＲＡＭ、リムーバブルメディア、ハードドライブ又は他のコンピュータ読取可能記憶媒体のような、一時的でないコンピュータ可読記憶媒体又はメモリに記憶される。コンピュータ読取可能記憶媒体は、様々な種類の揮発性及び不揮発性記憶媒体を含む。図に示されているか又は本明細書に記載されている機能、行為又はタスクは、コンピュータ読取可能記憶媒体に記憶されている又はコンピュータ読取可能記憶媒体上に記憶されている１組以上の命令に応答して実行される。機能、行為又はタスクは、特定種類の命令セット、記憶媒体、プロセッサ又は処理戦略に依存せず、単独で又は組合せて動作するソフトウェア、ハードウェア、集積回路、ファームウェア、マイクロコードなどによって実行してもよい。同様に、処理戦略は、マルチ処理、マルチタスク、並列処理等を含む。一実施形態では、命令は、ローカル又はリモートシステムによる読み取りのために、リムーバブルメディア装置に記憶される。他の実施形態では、命令は、コンピュータネットワークを介して、又は電話回線を介して転送するために、遠隔場所に格納される。さらに他の実施形態では、命令は、所定のコンピュータ、ＣＰＵ、ＧＰＵ、又はシステム内に格納される。
【００９２】
ディスプレイ５５、１６は、ＣＲＴ、ＬＣＤ、プラズマスクリーン、プロジェクタ、プリンタ、又は画像を表示するための他の出力装置である。ディスプレイ１６は、バイアス、線量、感度、測定された放射能、及び／又は補正された線量を表示する。ディスプレイ５５は、場所の関数として放射能濃度を示すなど、再構成された機能容積の画像を表示する。患者の組織の取込機能は、画像で表示される。再構成容積のボクセルから画像を生成するために、多重平面再構成、３Ｄレンダリング、又は断面像を使用してもよい。補正された線量は、画像と共に注釈として表示されることがある。代替的又は付加的に、プロセッサ５１によって導出される任意の量、例えば、補正された線量、線量及びバイアス、感度、ＳＵＶ、及び／又はＳＵＶの変化を表示してもよい。領域の平均ＳＵＶ又は放射能濃度、最大ＳＵＶ、所定の単位体積におけるピークＳＵＶ、放射能濃度の分散、又は総ＳＵＶなど、他の量を決定してもよい。
【００９３】
本発明を種々の実施形態を線量して上述したが、本発明の範囲から逸脱することなく、多くの変形及び変更が可能である。従って、上の記詳細な説明は、本発明を限定するものではなく例示として解すべきであり、本発明の精神及び範囲を規定するのは、全ての均等例を含む特許請求の範囲の記載に基づくものである。
【図１】
2021515222.tif 000003
【図２】
2021515222.tif 000004
【図３】
2021515222.tif 000005
【図４】
2021515222.tif 000006
【図５】
2021515222.tif 000007
【手続補正書】
【提出日】令和2年9月16日(2020.9.16)
【手続補正１】
【補正対象書類名】明細書
【補正対象項目名】０００３
【補正方法】変更
【補正の内容】
【０００３】
陽電子放射断層撮影（ＰＥＴ）と単一光子放射断層撮影（ＳＰＥＣＴ）は、機能又は核医学イメージングの２つの種類がある。機能イメージングは、患者内の代謝機能を決定するために放射性同位元素又は放射性トレーサを使用る。放射性トレーサからの放射が検出される。放射能濃度（すなわち、異なる場所からの放射性トレーサの濃度）は、検出された放射物から再構成される。定量的機能イメージングのためには、正確な放射能濃度と取込値の両方が望まれる。目標は、システム（検出器及び線量較正器）のばらつきがなく、どちらの量においても患者の経時的な測定変化が代謝上の理由によるものとなるように、全体的なベースラインを提供することである。注入された放射能は、規定された線量に固執するためだけでなく、定量的機能イメージングにおける取込値の計算にも使用するための重要な量である。
【手続補正２】
【補正対象書類名】明細書
【補正対象項目名】０００７
【補正方法】変更
【補正の内容】
【０００７】
前置きとして、以下に記載する好適な実施形態は、機能イメージングにおける線量較正のための方法、装置、及び一時的でないコンピュータ読取可能記録媒体を含む。同じ長寿命同位元素のための異なる精密放射源を用いて較正を行い、１つの放射源をある場所から別の場所に輸送しなければならないことを回避する。イメージングに用いられる同位元素を用いた放射源への、長寿命同位元素の精密放射源に対する基準試験所の線量較正器の感度の比率を見出した。臨床現場（例えば、放射化学又は機能イメージング施設）では、長寿命同位元素を用いた他の放射源に対する遠隔ガスイオンチャンバベース線量較正器の感度と遠隔の線量較正器からの比率の測度を用いて、放射性医薬品の同位元素に対する遠隔の線量較正器の感度を決定する。患者撮像に使用する放射性医薬品のバイアス及び対応する線量は、放射性医薬品の同位元素に対する遠隔の線量較正器の感度を考慮するように較正された放射性医薬品の放射能に基づく。
【手続補正３】
【補正対象書類名】明細書
【補正対象項目名】００１９
【補正方法】変更
【補正の内容】
【００１９】
基準試験所の１つの基準放射源２３は、放射性医薬品２６で使用される同じ同位元素を有する。この同位元素は比較的短寿命の同位元素であるため、放射性トレーサ源２２、２５の長寿命同位元素の半減期よりも半減期が短い。短寿命同位元素は、１か月、１週間、２日、１日、１か月未満、１週間、２日、１日未満など半減期が６か月未満である。任意の同位元素を、インジウム（Ｉｎ）１１１、ヨウ素（Ｉ）１２３、ヨウ素（Ｉ）１２５、キセノン（Ｘｅ）１３３、又はセリウム（Ｃｅ）１３９、ルテチウム（Ｌｕ）１７７、ヨウ素（Ｉ）１２３、ヨウ素（Ｉ）１３１、テクネチウム（Ｔｃ）９９、フッ素（Ｆ）１８、ガリウム（Ｇａ）６８のような短寿命基準源２３及び放射性医薬品２６に含めることができる。
【手続補正４】
【補正対象書類名】明細書
【補正対象項目名】００８９
【補正方法】変更
【補正の内容】
【００８９】
プロセッサ５１は、ソフトウェア、ファームウェア、及び／又はハードウェアによって構成される。プロセッサ５１は、ステップ３９の補正やステップ４０のＳＵＶの計算など、本明細書に記載された様々な動作を実行するために、記憶された命令に従って動作する。プロセッサ５１は、患者に投与される放射性トレーサ５７の同位元素及び幾何学的形状に対応する所与の同位元素及び幾何学的形状に対するバイアス又は較正された感度を受け取り、参照し、又はアクセスする。プロセッサ５１は、バイアスを使用して、線量較正器からの線量を補正する。患者をスキャンする場合、プロセッサ５１は、バイアス補正を用いて、線量に対する遠隔の補正を決定する。プロセッサ５１は、較正された感度と測定された感度との間の差に基づく補正を用いて、放射性トレーサ５７に対する線量値を補正することができる。プロセッサ５１は、患者に投与される液体放射性トレーサの入力線量を補正するように構成される。例えば、感度比率は線量に乗じられる。
この補正された線量に基づいて、プロセッサ５１は、放射能濃度を再構成し、及び／又はＳＵＶを計算するように構成される。１つ以上のＳＵＶは、放射能濃度を補正線量で正規化することにより算出する。結果として生じるＳＵＶは、システム及び／又は用量によるばらつきが少ないため、患者の代謝機能の変化を表している可能性が高い。
【手続補正５】
【補正対象書類名】明細書
【補正対象項目名】００９１
【補正方法】変更
【補正の内容】
【００９１】
メモリ５３、１４は、追加的に又は代替的に、処理命令を記憶した一時的でないコンピュータ読取可能記憶媒体である。メモリ５３、１４は、それぞれプログラムされたプロセッサ１１、５２によって実行可能な命令を表すデータを保存する。本明細書に記載したプロセス、方法及び／又は技術を実施するための命令は、キャッシュ、バッファ、ＲＡＭ、リムーバブルメディア、ハードドライブ又は他のコンピュータ読取可能記憶媒体のような、一時的でないコンピュータ読取可能記憶媒体又はメモリに記憶される。コンピュータ読取可能記憶媒体は、様々な種類の揮発性及び不揮発性記憶媒体を含む。図に示されているか又は本明細書に記載されている機能、行為又はタスクは、コンピュータ読取可能記憶媒体に記憶されている又はコンピュータ読取可能記憶媒体上に記憶されている１組以上の命令に応答して実行される。機能、行為又はタスクは、特定種類の命令セット、記憶媒体、プロセッサ又は処理戦略に依存せず、単独で又は組合せて動作するソフトウェア、ハードウェア、集積回路、ファームウェア、マイクロコードなどによって実行してもよい。同様に、処理戦略は、マルチ処理、マルチタスク、並列処理等を含む。一実施形態では、命令は、ローカル又はリモートシステムによる読み取りのために、リムーバブルメディア装置に記憶される。他の実施形態では、命令は、コンピュータネットワークを介して、又は電話回線を介して転送するために、遠隔場所に格納される。さらに他の実施形態では、命令は、所定のコンピュータ、ＣＰＵ、ＧＰＵ、又はシステム内に格納される。
【手続補正６】
【補正対象書類名】明細書
【補正対象項目名】００９３
【補正方法】変更
【補正の内容】
【００９３】
本発明を種々の実施形態を参照して上述したが、本発明の範囲から逸脱することなく、多くの変形及び変更が可能である。従って、上記詳細な説明は、本発明を限定するものではなく例示として解すべきであり、本発明の精神及び範囲を規定するのは、全ての均等例を含む特許請求の範囲の記載に基づくものである。
【手続補正７】
【補正対象書類名】特許請求の範囲
【補正対象項目名】請求項１
【補正方法】変更
【補正の内容】
【請求項１】
機能イメージングシステムの線量較正方法であって、
第１の場所にある第１の線量較正器（２０）を用いて第１の同位元素の第１の放射源からの第１の放射能を測定するステップ（３０）と、
前記第１の放射能から第１のダイヤル設定を決定するステップ（３１）と、
前記第１の場所にある前記第１の線量較正器（２０）を用いて前記第１の同位元素よりも比較的短寿命である第２の同位元素の第２の放射源の第２の放射能を測定するステップ（３２）と、
前記第２の放射能から第２のダイヤル設定を決定するステップ（３３）と、
前記第１の場所と異なる臨床又は製薬現場である第２の場所で第２の線量較正器（２４）を用いて前記第１の同位元素の第３の放射源の放射能を測定するステップ（３４）と、
前記第３の放射能から第３のダイヤル設定を決定するステップ（３５）と、
前記第３のダイヤル設定から前記第２の同位元素の放射性医薬品（２６）に対する第４のダイヤル設定と、前記第２のダイヤル設定に対する前記第１のダイヤル設定の比率を決定するステップ（３７）と、
前記放射性医薬品（２６）の第４の放射能を測定するステップ（３６）と、
前記第４の放射能を前記第４のダイヤル設定で較正するステップ（３９）と、を含む、機能イメージングシステムの線量較正方法。
【手続補正８】
【補正対象書類名】特許請求の範囲
【補正対象項目名】請求項３
【補正方法】変更
【補正の内容】
【請求項３】
前記第１及び第３の放射能を測定するステップ（３０、３４）が、前記同一の第１の同位元素の複数の試料を有する前記第１及び第３の放射源を用いて測定するステップ（３０、３４）を含む、請求項１に記載の線量較正方法。
【手続補正９】
【補正対象書類名】特許請求の範囲
【補正対象項目名】請求項４
【補正方法】変更
【補正の内容】
【請求項４】
前記第１及び第３の放射能を測定するステップ（３０、３４）が、前記第１及び第２の線量較正器（２０、２４）内の同じ場所に設置された前記第１及び第３の放射源でそれぞれ測定するステップ（３０、３４）と、前記第２及び第４の放射能を測定するステップ（３２、３６）が、前記第１の線量較正器（２０）及び第３の線量較正器内の同じ場所に設置された前記第２の放射源及び放射性医薬品（２６）でそれぞれ測定するステップ（３２、３６）と、を含む、請求項１に記載の線量較正方法。
【手続補正１０】
【補正対象書類名】特許請求の範囲
【補正対象項目名】請求項６
【補正方法】変更
【補正の内容】
【請求項６】
前記第１、第２、及び第３のダイヤル設定を決定するステップ（３１、３３、３５）は、前記測定された第１、第２、及び第３の放射能及び前記第１、第２、及び第３の放射源の基準放射能にそれぞれ基づいて感度を決定するステップ（３１、３３、３５）を含む、請求項１に記載の線量較正方法。
【手続補正１１】
【補正対象書類名】特許請求の範囲
【補正対象項目名】請求項７
【補正方法】変更
【補正の内容】
【請求項７】
前記第４のダイヤル設定を決定するステップは、（３７）患者の単一光子放射断層撮影（ＳＰＥＣＴ）イメージングのために投与された前記放射性医薬品（２６）のための第４のダイヤル設定を決定するステップ（３７）を含む、請求項１に記載の線量較正方法。
【手続補正１２】
【補正対象書類名】特許請求の範囲
【補正対象項目名】請求項１２
【補正方法】変更
【補正の内容】
【請求項１２】
医療機能イメージングシステムの線量較正方法であって、
臨床又は製薬現場において、第１の線量較正器（２４）を用いて第１の同位元素の第１の放射源の第１の放射能を測定するステップ（３４）と、
第１の感度及び前記第１の放射源の基準放射能から、前記第１の同位元素に対する前記第１の線量較正器（２４）の第１の感度を決定するステップ（３５）と、
前記第１の感度及び前記第１と第２の同位元素に対する第２の線量較正器（２０）の第３と第４の感度の比率から、前記第２の同位元素に対する前記第１の線量較正器（２４）の第２の感度を決定するステップ（３７）と、
前記第２の感度を用いて前記第２の同位元素の放射性医薬品（２６）の放射能を測定するステップ（３６）と、
を含む、医療機能イメージングシステムの線量較正方法。
【手続補正１３】
【補正対象書類名】特許請求の範囲
【補正対象項目名】請求項１５
【補正方法】変更
【補正の内容】
【請求項１５】
前記第２の感度を決定するステップ（３７）は、前記第１の線量較正器（２４）のダイヤル設定を決定するステップ（３７）を含む、請求項１２に記載の線量較正方法。
【手続補正１４】
【補正対象書類名】特許請求の範囲
【補正対象項目名】請求項１８
【補正方法】変更
【補正の内容】
【請求項１８】
機能イメージングの線量較正システムであって、
基準放射能を有する放射性トレーサ源（２５）と、
前記放射性トレーサ源（２５）の放射能と放射性医薬品（２６）の放射能を測定する第１のガスイオンチャンバベース線量較正器（２４）と、
前記放射性トレーサ源（２５）の放射能と、前記放射性医薬品（２６）の同位元素に対する前記放射性トレーサ源（２５）の同位元素の第２及び第３のダイヤル設置値の比率（２）から決定された、前記第１のイオンチャンバベース線量較正器（２４）の第１のダイヤル設定（１）から前記第１のイオンチャンバベース線量較正器（２４）により前記放射性医薬品（２６）の放射能のバイアスを決定するように構成されたプロセッサ（１２）と、
を備えた、機能イメージングの線量較正システム。
【手続補正書】
【提出日】令和2年9月23日(2020.9.23)
【手続補正１】
【補正対象書類名】特許請求の範囲
【補正対象項目名】請求項７
【補正方法】変更
【補正の内容】
【請求項７】
前記第４のダイヤル設定を決定するステップ（３７）は、患者の単一光子放射断層撮影（ＳＰＥＣＴ）イメージングのために投与された前記放射性医薬品（２６）のための第４のダイヤル設定を決定するステップ（３７）を含む、請求項１に記載の線量較正方法。
【手続補正２】
【補正対象書類名】特許請求の範囲
【補正対象項目名】請求項１２
【補正方法】変更
【補正の内容】
【請求項１２】
医療機能イメージングシステムの線量較正方法であって、
臨床又は製薬現場において、第１の線量較正器（２４）を用いて第１の同位元素の第１の放射源の第１の放射能を測定するステップ（３４）と、
前記第１の放射能及び前記第１の放射源の基準放射能から、前記第１の同位元素に対する前記第１の線量較正器（２４）の第１の感度を決定するステップ（３５）と、
前記第１の感度及び前記第１と第２の同位元素に対する第２の線量較正器（２０）の第３と第４の感度の比率から、前記第２の同位元素に対する前記第１の線量較正器（２４）の第２の感度を決定するステップ（３７）と、
前記第２の感度を用いて前記第２の同位元素の放射性医薬品（２６）の放射能を測定するステップ（３６）と、
を含む、医療機能イメージングシステムの線量較正方法。
【国際調査報告】
2021515222.tif 000008